(57)【要約】      （修正有）【課題】横方向に移動調整できる少なくとも一つのナットを備え、ラック設備上への取り付けを便利にするマウンティングブラケットを提供する。【解決手段】本マウンティングブラケットには、側板１０６の一端から垂直に延伸する端板１０８を備え、該端板には、長形穴を設ける。引掛ボルト部１０４には、ナット１１４と、突出体１１８と、固定部品１１６とを備え、前記ナットは突出体に連接させ、端板を圧する。突出体は、端板の長形穴内に配置し、横方向に動き、突出体の厚さは、端板の厚さを上回るものとする。また、固定部品には、頭部と、頭部から延伸する軸部とを設け、軸部は、ナットと突出体に連接させる。これらの配置により、固定部品とナットは、突出体を挟み込み、可動状態で端板の長形穴に連接し、ナットは、突出体によって、端板の長形穴内を横方向に移動し、自分でその位置を調整する。【選択図】図１
0003170804.tif 000002
【実用新案登録請求の範囲】
【請求項１】
側板と、側板の一端から垂直に延伸する端板とを備えるマウンティングブラケットにおいて、
前記端板は、長形穴と引掛ボルト部とを備え、
前記引掛ボルト部は、連接孔を備えるナットと、相対する端板の長形穴に配置し、端板の厚さを上回る厚さを有する突出体と、頭部と、頭部から延伸する軸部とを設ける固定部品とを備え、
そのうち、前記固定部品の頭部とナットは、縦方向且つ端板の両側にそれぞれ配置し、固定部品の軸部をナットの連接孔に連接し、突出体を固定部品の頭部とナットとの間に位置させ、端板の長形穴において突出体を横方向に移動させることを特徴とするマウンティングブラケット。
【請求項２】
前記突出体は、ナットから延伸させることを特徴とする請求項１に記載のマウンティングブラケット。
【請求項３】
前記マウンティングブラケットはさらに、連接板と連接板によって繋がる少なくとも二つのナットとを備えることを特徴とする請求項１に記載のマウンティングブラケット。
【請求項４】
前記突出体は、ナットの連接孔に対応する貫通穴を備えることを特徴とする請求項１に記載のマウンティングブラケット。
【請求項５】
前記突出体と固定部品を共に結合し、突出体は固定部品の頭部から延伸させることを特徴とする請求項１に記載のマウンティングブラケット。
【請求項６】
前記固定部品の頭部の周囲エッジは、端板の長形穴を延伸することを特徴とする請求項１に記載のマウンティングブラケット。
【請求項７】
前記固定部品は、座金を備え、座金の周囲エッジは端板の長形穴を突出することを特徴とする請求項１に記載のマウンティングブラケット。
【考案の詳細な説明】
【技術分野】
【０００１】
本考案は、特に、スライドレールに配置するマウンティングブラケットに関し、マウンティングブラケットの引掛ボルト部によってスライドレールをラック設備（ｅｑｕｉｐｍｅｎｔ  ｒａｃｋ）の支柱（ｓｕｐｐｏｒｔ  ｃｏｌｕｍｎｓ）に連結する時、自分で適宜にその取付位置を調整できるマウンティングブラケットに関する。
【背景技術】
【０００２】
Ａｌｌｅｎ等による特許文献１に開示された「Ｍｏｕｎｔｉｎｇ  ｂｒａｃｋｅｔ」のマウンティングブラケット（ｍｏｕｎｔｉｎｇ  ｂｒａｃｋｅｔ  ２００）は、側板（ｓｉｄｅ  ｐｌａｔｅ  ２０４）を備えた基本体（ｂａｓｅ  ｍｅｍｂｅｒ  ２０２）と、側板に整合させた端板（ｅｎｄ  ｐｌａｔｅ  ２０６）と、端板に取り付けて定位させた一対の引掛ボルト（ｐｉｎｓ  ２１０）とにより構成される。また、開示されている四柱型のラック設備（ｆｏｕｒ−ｐｏｓｔ  ｅｑｕｉｐｍｅｎｔ  ｒａｃｋ  １００）には、四本の方形に配列した垂直支持柱（ｖｅｒｔｉｃａｌ  ｓｕｐｐｏｒｔ  ｃｏｌｕｍｎｓ  １０４）と、各垂直支持柱に備えた複数のホール（ｈｏｌｅｓ  ２０８）とを含む。組み立て時は、一対のマウンティングブラケットをそれぞれ、スライドレールの両端に連接させ、並びに、各マウンティングブラケットの掛栓（ｐｉｎｓ  ２１０）をラック設備の垂直支持柱の対応孔内に貫通し定位させると、スライドレールは、ラック設備上に取り付けられて定位する。二組のスライドレールをラック設備の対応位置に取り付けて定位させると、ラックマウントモジュール（ｒａｃｋ−ｍｏｕｎｔ  ｍｏｄｕｌｅ  １０２）を二組のスライドレール上に別に取り付けて定位させられ、これにより、ラックマウントモジュールは、二組のスライドレールを用いて、ラック設備から引っ張り出したり押し入れたりして開閉使用できる。
【０００３】
しかし、ラック設備の両側にある二つの垂直支持柱のホール間の距離に、製造時に大きな差異ができ、前述したマウンティングブラケット、スライドレール、ラックマウントモジュールの総幅が実際の間距離に符合しない場合、マウンティングブラケット上に固定する掛栓を貫通させるラック設備の垂直支持柱のホールは、微小の隙間であり、横方向の適当位置の調整をおこない、相互移動させる余分な隙間を備えていないため、取り付けが難しい。また、無理に取り付けた場合は、スライドレールのスライド阻止力が大きいため、レールからとびだしてしまうこともある。この他、ラックマウントモジュールの規格に比較的小さなサイズの差異がみられた場合、マウンティングブラケット上に固定した掛栓もまた、適当な調整ができず、取り付けに合わせられない。
【０００４】
また、前述のマウンティングブラケットに対する掛栓の固定式設計は、特許文献２、特許文献３、特許文献４、特許文献５及び特許文献６等に開示されている。
【０００５】
よって、公知技術に存在する上述の取付使用上の欠点に関し、好ましい設計を提供し、前述の欠点を改善する必要がある。
【先行技術文献】
【特許文献】
【０００６】
【特許文献１】米国特許第７，６９４，９２６号明細書
【特許文献２】米国特許第７，７４４，１７７号明細書
【特許文献３】米国特許第６，８４０，３８８号明細書
【特許文献４】米国特許第６，８３０，３００号明細書
【特許文献５】米国特許第６，７０２，１２４号明細書
【特許文献６】米国特許第６，６５９，５７７号明細書
【考案の概要】
【考案が解決しようとする課題】
【０００７】
本考案の目的は、横方向に移動調整できる少なくとも一つのナットを備え、ラック設備上に便利に取り付けて定位させられるマウンティングブラケットを提供することにある。
【課題を解決するための手段】
【０００８】
本考案の観点に基づいたマウンティングブラケットには、側板と、側板の一端から垂直に延伸する端板とを備え、該端板には、長形穴を設ける。引掛ボルト部には、ナットと、突出体と、固定部品とを備える。そのうち、ナットには、連接孔を備える。突出体は、端板の長形穴内に配置し、突出体の厚さは、端板の厚さを上回るものとする。固定部品には、頭部と、頭部から延伸する軸部とを設ける。固定部品の頭部とナットは、縦方向に、端板の両側にそれぞれ配置し、固定部品の軸部をナットの連接孔に連接し、突出体を固定部品の頭部とナットとの間に位置させ、端板の長形穴において突出体を横方向に移動させる。
【０００９】
前記突出体は、ナットから延伸させる。
【００１０】
さらに、連接板と連接板によって繋がる少なくとも二つのナットを備える。
【００１１】
前記突出体には、ナットの連接孔に対応する貫通穴を備える。
【００１２】
前記突出体と固定部品は共に組み合わせ、突出体は、固定部品の頭部から延伸させる。
【００１３】
前記固定部品の頭部の周囲エッジは、端板の長形穴を延伸する。
【００１４】
前記固定部品には、座金を備え、座金の周囲エッジは端板の長形穴を突出する。
【考案の効果】
【００１５】
本考案のマウンティングブラケットは、横方向に移動調整できる少なくとも一つのナットを備え、ラック設備上への取り付けを便利にする効果を奏するものである。
【図面の簡単な説明】
【００１６】
【図１】本考案の第一実施例に関する配置図である。
【図２】本考案の第一実施例に関する連接板を備えた引掛ボルト部の配置図である。
【図３】本考案の第一実施例に関し、外観に垂直支持柱を組み合わせた対応配置図である。
【図４】本考案の第一実施例を垂直支持柱に取り付けた状態の断面図である。
【図５】本考案の第一実施例を垂直支持柱に取り付け、調整を行った状態の断面図である。
【図６】本考案の引掛ボルト部に関する第二実施例の説明図である。
【図７】本考案の引掛ボルト部に関する第三実施例の説明図である。
【図８】本考案の引掛ボルト部に関する第四実施例の説明図である。
【図９】本考案の引掛ボルト部に関する第五実施例の説明図である。
【図１０】本考案の引掛ボルト部に関する第六実施例の説明図である。
【考案を実施するための形態】
【００１７】
図１に示した本考案の第一実施例は、スライドレール１００と、スライドレール１００の一端に取り付けたマウンティングブラケット１０２と、マウンティングブラケット１０２に取り付けた引掛ボルト部１０４とを含む。マウンティングブラケット１０２には、側板１０６と、基本的に側板１０６の一端から垂直に延伸する端板１０８と、マウンティングブラケット１０２の側板１０６に取り付け、且つ端板１０８方向の制御部材１１０とを備える。そのうち、側板１０６は、スライドレール１００に連接する。該端板１０８には、二つの長形穴１１２を設ける。引掛ボルト部１０４には、二組に分かれたボルト部組立部材を含み、端板１０８の二つの長形穴１１２に対応させる。各ボルト部組立部材には、ナット１１４と、固定部品１１６と、ナット１１４と固定部品１１６間に位置する突出体１１８とを含む。ナット１１４には、ネジ孔のような連接孔１２０を備える。固定部品１１６には、頭部１２２と、頭部１２２から延伸する軸部１２４とを設ける。そのうち、頭部１２２には、ドライバーを插入して回転させるための溝を備え、溝は、十文字或いは一文字とする。軸部１２４は、ネジ棒としてナット１１４の連接孔１２０に対応させることも可能である。突出体１１８は、ナット１１４の連接孔１２０に対応する矩形体に成形する。本実施例において、突出体１１８は、ナット１１４の一端から延伸する。
【００１８】
図２に示した本考案の第一実施例には、さらに、前記の二つのナット１１４間に連接した連接板１２６を含み、単一のボルト部を構成する。本実施例において、前記二つのナット１１４、前記二つの突出体１１８、及び連接板１２６は整合して一体化する。
【００１９】
図３には、本考案の第一実施例における引掛ボルト部１０４の組み合わせ状態を示す。固定部品１１６とナット１１４は、縦方向に、マウンティングブラケット１０２の端板１０８の両側にそれぞれ配置する。突出体１１８は端板１０８の長形穴１１２内に配置し、固定部品１１６はナット１１４に連接し、突出体１１８を固定部品１１６の頭部１２２とナット１１４との間に位置させ、尚且つ、固定部品１１６の頭部１２２の周囲エッジは、端板１０８の長形穴１１２に突出する。そのうち、別に開示した垂直支持柱１２８には、複数のホール１３０を備え、本実施例の引掛ボルト部１０４を垂直支持柱１２８に組み合わせて取り付ける際、引掛ボルト部１０４の二つのナット１１４は、垂直支持柱１２８の二つのホール１３０に対応する。
【００２０】
図４には、前記実施例に関する引掛ボルト部１０４のナット１１４を垂直支持柱１２８のホール１３０内に取り付け、並びに、マウンティングブラケット１０２上の制御部材１１０によって垂直支持柱１２８方向に圧するため、垂直支持柱１２８のホール１３０に対応するナット１１４は制限されて、縦方向の離脱が不可能となる。そのうち、引掛ボルト部１０４は、突出体１１８を用いて、マウンティングブラケット１０２の端板１０８の長形穴１１２内に配置され、長形穴１１２は、突出体１１８に横方向に移動する空間Ｇを提供し、しかも、突出体１１８の厚さは、端板１０８の厚さを上回るものとする。これにより、固定部品１１６は、軸部１２４を突出体１１８に挿入してナット１１４の連接孔１２０内に連接する時、固定部品１１６の頭部１２２は突出体１１８を圧して端板１０８に密着するため、ナット１１４は確実に、突出体１１８によって端板１０８の長形穴１１２内を移動する。
【００２１】
引掛ボルト部１０４のナット１１４を垂直支持柱１２８のホール１３０内に嵌入することにより、微小の隙間に組み合わせ、これによって、互いに移動できなくなる。また、本考案の引掛ボルト部１０４という特殊設計は、図５に示すとおりであるが、垂直支持柱１２８が動かないことを基準とする時、垂直支持柱１２８のホール１３０に嵌入されたナット１１４も不動状態となり、スライドレール１００とマウンティングブラケット１０２は、端板１０８の長形穴１１２が突出体１１８に対して残す空間Ｇによって、適当に調整されて移動する。同様な理論に基づき、スライドレール１００とマウンティングブラケット１０２が動かないことを基準とする時、垂直支持柱１２８の位置は、若干片方に寄った位置となり、ナット１１４もまた、突出体１１８によって端板１０８の長形穴１１２内を移動し、これにより、ナット１１４は調整され、対応する垂直支持柱１２８のホール１３０内に取り付けられる。
【００２２】
図６に示した本考案の第二実施例において、引掛ボルト部２００の実施形態は、突出体２０２を円形体とし、尚且つ、突出体２０２は連接孔２０６に対応し、ナット２０４の一端から延伸するものとする。
【００２３】
図７に示した本考案の第三実施例において、引掛ボルト部３００の実施形態は、突出体３０２とナット３０４を二つ別々に成形し、尚且つ、突出体３０２には、ナット３０４の連接孔３０６に対応させた貫通穴３０８を配置し、固定部品１１６の軸部１２４を突出体３０２の貫通穴３０８に挿入してナット３０４の連接孔３０６に連結するものとする。
【００２４】
図８に示した本考案の第四実施例において、引掛ボルト部４００の実施形態は、突出体４０２と固定部品４０４を共にし、突出体４０２は、固定部品４０４の頭部４０６の一端から延伸するものとする。
【００２５】
図９に示した本考案の第五実施例において、引掛ボルト部５００の実施形態は、固定部品５０２をリベットの形態とし、ナット５０４の連接孔５０６に締結させる。
【００２６】
図１０に示した本考案の第六実施例において、引掛ボルト部６００の実施形態は、さらに、座金６０２を固定部品６０４に嵌設するものとし、座金６０２の周囲エッジは端板１０８の長形穴１１２をとび出し、これにより、固定部品６０４の頭部６０６が比較的小さくても、座金６０２はマウンティングブラケット１０２の端板１０８を圧して止まることができる。
【符号の説明】
【００２７】
１００：スライドレール、１０２：マウンティングブラケット、１０４：引掛ボルト部、１０６：側板、１０８：端板、１１０：制御部材、１１２：長形穴、１１４：ナット、１１６：固定部品、１１８：突出体、１２０：連接孔、１２２：頭部、１２４：軸部、１２６：連接板、１２８：垂直支持柱、１３０：ホール、２００：引掛ボルト部、２０２：突出体、２０４：ナット、２０６：連接孔、３００：引掛ボルト部、３０２：突出体、３０４：ナット、３０６：連接孔、３０８：貫通穴、４００：引掛ボルト部、４０２：突出体、４０４：固定部品、４０６：頭部、５００：引掛ボルト部、５０２：固定部品、５０４：ナット、５０６：連接孔、６００：引掛ボルト部、６０２：座金、６０４：固定部品、６０６：頭部。
【図１】
0003170804.tif 000003
【図２】
0003170804.tif 000004
【図３】
0003170804.tif 000005
【図４】
0003170804.tif 000006
【図５】
0003170804.tif 000007
【図６】
0003170804.tif 000008
【図７】
0003170804.tif 000009
【図８】
0003170804.tif 000010
【図９】
0003170804.tif 000011
【図１０】
0003170804.tif 000012